(57)【要約】【課題】  障子を戸袋等の障子収納部に収納する際などに、障子の移動を一時停止させて手の指が挟まれるのを防止でき、さらに、ストッパ部に作用する衝撃を受けるケースの破損を防止できる開口部装置を提供する【解決手段】障子Ｂの縦框の見付け面に、障子Ｂの開動作時に、引き手２７が他の部材を横切る前に他の部材に当接するストッパ装置３１が設け、ストッパ装置３１を縦框に装填されるケース３２と、ケース３２に取り付けられて、障子Ｂの縦框の見付け面から出没可能ストッパ部３３とを備え、ストッパ部３３に、ストッパ部３３が見付け面から突出している際にケース３２から突出して縦框のケース３２と対向する面に当接する当接部４０を設けることによって、障子と他の部材との隙間に指が挟まれるのを防止し、前記衝撃を縦框で受けてケースの破損を防止できる。【選択図】    図８
2007002445.tif 000002
【特許請求の範囲】
【請求項１】
枠体と、この枠体内に左右方向に移動可能に設けられた障子と、この障子の縦框の見付け面に設けられた引き手とを備え、
前記障子の縦框の見付け面には、該障子の開動作時に、前記引き手が他の部材を横切る前に前記他の部材に当接するストッパ装置が設けられており、
このストッパ装置は、前記障子の縦框に装填されるケースと、
このケースに取り付けられて、前記障子の縦框の見付け面から出没可能でかつ突出している場合に前記他の部材に当接可能なストッパ部とを備え、
前記ストッパ部には、このストッパ部が前記見付け面から突出している際に前記ケースから突出して前記縦框の前記ケースと対向する面に当接する当接部が設けられていることを特徴とする開口部装置。
【発明の詳細な説明】
【技術分野】
【０００１】
本発明は、引き込み障子、引き分け障子、引き違い障子または片引き障子等のように左右方向に移動可能な障子が枠体内に設けられた開口部装置に関する。
【背景技術】
【０００２】
この種の開口部装置の一つとして、建物の開口部の周りに設けられる上枠、下枠および左右の縦枠からなる枠体と、この枠体内に左右方向に移動可能に設けられた障子と、この障子を引き込み形式で収納する戸袋とを備え、開口部を全開にすることができる全開口型サッシ（全開サッシ）が知られている（例えば、特許文献１参照）。
【０００３】
【特許文献１】特開平６−２６２８６号公報
【発明の開示】
【発明が解決しようとする課題】
【０００４】
ところで、このような全開口型サッシにあっては、障子を開けて戸袋に収容するときに、引き手が邪魔にならないように、障子の縦框の室内側面（見付け面）より窪んだ凹部によって引き手を構成しているものがある。
しかしながら、このような引き手で障子を戸袋に収容しようとすると、戸袋の開口部側を形成する方立や間柱等の縦部分と障子との間に手の指等が巻き込まれて、挟まれる虞がある。
そこで、障子を戸袋等の障子収納部に収納する際などに、障子の移動を一時停止させるストッパ部を導入することによって手の指が巻き込まれるの防止することが考えられるが、その場合、ストッパ部によって障子の移動を確実に一時停止させることを考慮する必要がある。
【０００５】
また、ストッパ部をケースに装填した状態で導入した場合、戸袋の開口部側を形成する方立や間柱等の縦部分がストッパ部に当たるので、障子を強い力で引き込んだり、押し込んだりすると、ストッパ部に比較的強い衝撃が作用するので、この衝撃を受けるケースの部分が破損する虞がある。
【０００６】
本発明はこのような事情に鑑みてなされたもので、障子を戸袋等の障子収納部に収納する際などに、障子の移動を一時停止させて手の指が挟まれるのを防止でき、さらに、ストッパ部に作用する衝撃を受けるケースの破損を防止できる開口部装置を提供することを目的とする。
【課題を解決するための手段】
【０００７】
前記目的を達成するために、請求項１に記載の開口部装置は、枠体と、この枠体内に左右方向に移動可能に設けられた障子と、この障子の縦框の見付け面に設けられた引き手とを備え、
前記障子の縦框の見付け面には、該障子の開動作時に、前記引き手が他の部材を横切る前に前記他の部材に当接するストッパ装置が設けられており、
このストッパ装置は、前記障子の縦框に装填されるケースと、
このケースに取り付けられて、前記障子の縦框の見付け面から出没可能でかつ突出している場合に前記他の部材に当接可能なストッパ部とを備え、
前記ストッパ部には、このストッパ部が前記見付け面から突出している際に前記ケースから突出して前記縦框の前記ケースと対向する面に当接する当接部が設けられていることを特徴とする。
【０００８】
前記当接部が縦框のケースと対向する面に当接する場合、該対向する面に直接当接してもよいし、スペーサ等を介して間接的に当接してもよい。
【発明の効果】
【０００９】
請求項１に記載の開口部装置によれば、障子を戸袋部等の障子収納部に収納する際などに、引き手が障子収納部を構成する部材や障子等の他の部材を横切る前に、障子の縦框の見付け面から突出しているストッパ部が前記他の部材に当接するので、このストッパ部によって障子の移動を確実に一時停止させて、障子と他の部材との隙間に手の指等が巻き込まれて、挟まれるのを防止することができる。
また、前記ストッパ部が他の部材に当接して、このストッパ部に比較的に強い衝撃が作用した場合に、このストッパ部に設けられている当接部は前記ケースから突出して障子の縦框の、前記ケースと対向する面に当接しているので、前記衝撃を縦框で受けることができる。したがって、衝撃によるケースの破損を防止できる。
【発明を実施するための最良の形態】
【００１０】
以下、添付した図面を参照しながら、本発明の実施の形態を説明する。
図１ないし図４は、本発明の実施の形態に係る両寄せ全開口タイプのサッシを示す図であって、図１は、全開口状態の横断面図であり、図２は、殆ど閉じた状態の横断面図であり、図３は、閉めている状態を室内側から見た図であり、図４は、全閉状態を室内側から見た図である。
【００１１】
このサッシ（開口部装置）は、合掌式に左右に２枚ずつの障子を配置した両寄せ全開タイプ（両引き込みタイプ）のサッシである。このサッシは、建物の開口部に取り付けられる枠体Ａと、この枠体Ａ内に左右方向（水平方向）に移動可能に設けられた左右の外障子（障子）Ｂ、Ｂおよび左右の内障子（障子）Ｃ、Ｃとを備えている。
【００１２】
枠体Ａの内側の左右の側部にはそれぞれ、障子を収納可能な障子収納部（戸袋部ともいう。）Ｄ、Ｄが設けられており、各障子収納部Ｄ、Ｄはそれぞれ、室内側の内側を方立Ｅ、Ｅにより仕切られている。このサッシでは、左右の外障子Ｂ、Ｂおよび内障子Ｃ、Ｃをそれぞれ、左右の障子収納部Ｄ、Ｄに収納することによって、全開状態にすることができるようになっている（図１参照）。なお、各方立Ｅの内側にはそれぞれ、合成樹脂製のアングルeが取り付けられている。
【００１３】
枠体Ａは、上枠１、下枠２および左右の縦枠３、４により方形に組み立てられて構成されている。
【００１４】
外障子Ｂは、上框１１、下框１２および左右の縦框１３、１４により方形の框組体が組み立てられ、この框組体にパネルである複層ガラス１６が組み込まれて構成されている。また、内障子Ｃは、上框２１、下框２２および左右の縦框２３、２４により方形の框組体が組み立てられ、この框組体にパネルである複層ガラス２６が組み込まれて構成されている。
【００１５】
外障子Ｂの戸先側（合掌側）の縦框１３の室内側面（見付け面）には、引き手２７が設けられている。この引き手２７は、見付け面より窪んだ凹所によって構成されている。また、この引き手２７は、図５および図６に示すように、見付け面に埋設される引き手部材２８の上下方向略中央部に形成されている。この引き手部材２８は、見付け面に当接されるフランジ部２９と、このフランジ部２９の裏面に形成されて、前記見付け面に形成された凹所に埋設される埋設部３０とを備えている。
【００１６】
埋設部３０は、凹状に形成された引き手２７と、この引き手２７の上部に設けられたストッパ装置３１とを備えている。
ストッパ装置３１は、前記外障子Ｂの開動作時に、引き手２７が他の部材（例えば戸袋の開口部側を形成する方立や間柱等の縦部分）を横切る前に、該他の部材に当接するように構成された装置である。また、ストッパ装置３１は、外障子Ｂの縦框に装填されるケース３２と、このケース３２に取り付けられたストッパ部３３とを備えている。
ストッパ部３３は、外障子Ｂの縦框の見付け面から出没可能で、かつ突出している場合に前記他の部材に当接可能なものであり、図７に示すように、ケース３２に、取付軸３４を介して該取付軸３４回りに回動可能に取り付けられている。また、ケース３２内にはスプリング３５が設けられており、このスプリングの一端部はケース３２に取り付けられ、他端部はストッパ部３３に取り付けられている。なお、前記ケース３２やストッパ部３３は合成樹脂によって形成されている。
【００１７】
そして、ストッパ部３３は、スプリング３５によってケース３２から突出するように付勢されている。したがって、図８に示すように、ケース３２が外障子Ｂの縦框の見付け面に埋設された状態において、ストッパ部３３は見付け面から突出するように付勢されている。なお、ストッパ部３３はスプリング３５によって全体がケース３２から突出するように付勢されているのではなく、ストッパ部３３の先端部が突出するように付勢されている。そして、この先端部の先端面３３ａにゴム板等で構成さらたクッション材３３ｂが取り付けられている。このようなストッパ部３３では、その先端部の先端面３３ａにクッション材３３ｂを介して前記他の部材の部材が当接可能となるのである。
【００１８】
また、ストッパ装置３１のケース３２の側面には、図５（ｂ）および図６に示すように、開口部３２ａが形成されている。そして、図８に示すように、ケース３２を外障子Ｂの縦框に埋設した状態において、前記開口部３２ａは縦框の内側面に所定の隙間を持って対向している。
【００１９】
また、前記外障子Ｂの縦框の見込み面には、同縦框の見付け面から突出しているストッパ部３３を没するように動作させる操作ボタン（操作部）３６が設けられている。
すなわち、図１０に示すように、前記縦框の見込み面を形成する壁部３７には、貫通孔３８が形成されている。この貫通孔３８は、端部が半円状に形成された孔である。したがって、貫通孔３８は半円状の方が端部に向かうにしたがって開口幅が小さくなっている。そして、このような貫通孔３８は、半円側を、前記見付け面側に向けて、壁部３７に形成されている。
【００２０】
一方、操作ボタン３６は、本体部３６ａと、この本体部３６ａの一方の端面側に形成されたフランジ部３６ｂと、この本体部３６ｂの他方の端面側に形成された突部３６ｃとを備えている。また、本体部３６ａと突部３６ｃの、前記貫通孔３８の半円側の側面は、この半円と等しい曲率の円筒面に形成されている。また、突部３６ｃの先端部には、引掛り部３６ｄが形成されている。この引掛り部３６ｄは、前記貫通孔３８の矩形状の方の開口幅と等しい長さの帯状に形成されている。また、前記フランジ部３６ｂは貫通孔３８より大径に形成されている。
【００２１】
そして、操作ボタン３６はその突部３６ｃから本体部３６ａを前記貫通孔３８の矩形状の方に、挿入したうえで該貫通孔３８の半円状の方にスライドさせることで、該貫通孔３８に挿通されている。そして、この状態において、前記引掛り部３６ｄが、貫通孔３８の半円状の方に位置するので、操作ボタン３６を貫通孔３８から引き抜こうとすると、貫通孔３８の半円状の方の側面に引掛り部３６ｄの両端部が引っ掛って、操作ボタン３６は貫通孔３８からの抜け出が防止されている。
【００２２】
また、操作ボタン３６を貫通孔３８に挿通した状態において、該操作ボタン３６の突部３６ｃは前記ケース３２の開口部３２ａを通してケース３２内に入り込んでおり、該突部３６ｃの先端面が、ケース３２内のストッパ部３３の側面に当接している。
ストッパ部３３は上述したように、スプリング３５によって付勢されているので、操作ボタン３６もストッパ部３３を介してスプリング３５によって、外側に付勢されている。
したがって、操作ボタン３６を押圧することによって、ストッパ部３３がスプリング３５の付勢力に抗して、取付軸３４を軸として回動し、ケース３２に没する、つまり、外障子Ｂの縦框の見付け面から没するようになっている。
【００２３】
また、ストッパ部３３の側面には、当接部４０が突出形成されている。この当接部４０は、ストッパ部３３が外障子Ｂの縦框の見付け面から突出している際に前記ケース３２から開口部３２ａを通して突出するものである。そして、当接部４０は、ケース３２から突出した状態において、該ケース３２と対向する、縦框の内壁面に直接またはスペーサ４１を介して当接するようになっている。
【００２４】
上記のような構成のストッパ装置３１や、引き手２７は、図６に示すように、引き手部材２８としてユニット化されており、このユニット化された引き手部材２８が、図８に示すように、外障子Ｂの縦框の見付け面見付け面から縦框内に装填されている。この場合、引き手部材２８はストッパ装置３１および引き手２７を縦框に埋設し、引き手部材２８のフランジ部２９を縦框の見付け面に当接して、ビス孔２９ａ，２９ａからビスを縦框にねじ込むことによって、縦框に固定されている。
なお、図示は省略するが、前記内障子Ｃの召合せ側の縦框の室内側面（見付け面）にも、引き手部材２８が同様にして設けられている。
【００２５】
このように構成されたサッシにあっては、外障子Ｂを、内障子Ｃと重ねて配置したり、あるいは障子収納部Ｄに収納する（外障子を開ける）ときに、引き手２７に手を掛けて外障子Ｂを移動させると、引き手２７が内障子Ｃの召合せ側の縦框２３を横切る前に、外障子Ｂの縦框の見付け面から突出しているストッパ部３３が内障子Ｃの縦框２３に当接するので、このストッパ部３３によって外障子Ｂの移動を確実に一時停止させて、外障子Ｂと内障子Ｃの縦框２３との隙間に手の指等が巻き込まれて、挟まれるのを防止することができる。
また、外障子Ｂを一時停止させた後、外障子Ｂの縦框の見込み面側から操作ボタン３６を押圧操作すると、ストッパ部３３がスプリング３５の付勢力に抗して、取付軸３４を軸として回動し、外障子Ｂの縦框の見付け面から没するので、外障子Ｂの一時停止状態を容易に解除できる。その後、外障子Ｂの端部を押して移動させる。
【００２６】
また、内障子Ｃを障子収納部Ｄに収納するときに、引き手２７に手を掛けて内障子Ｃを移動させると、引き手２７が方立Ｅを横切る前に、外障子Ｃの縦框の見付け面から突出しているストッパ部３３が方立Ｅに当接するので、このストッパ部３３によって内障子Ｃの移動を確実に一時停止させて、内障子Ｃと方立Ｅとの隙間に手の指等が巻き込まれて、挟まれるのを防止することができる。
また、内障子Ｃを一時停止させた後、外障子Ｃの縦框の見込み面側から操作ボタン３６を押圧操作することによって、ストッパ部３３が内障子Ｃの縦框の見付け面から没するので、内障子Ｃの一時停止状態を容易に解除できる。その後、外障子Ｃの端部を押して移動させる。
【００２７】
また、外障子Ｂの縦框の見付け面から突出しているストッパ部３３が内障子Ｃの縦框２３に当接する際や、外障子Ｃの縦框の見付け面から突出しているストッパ部３３が方立Ｅに当接する際において、このストッパ部３３に比較的に強い衝撃が作用した場合に、このストッパ部３３に設けられている当接部４０がケース３２から突出して外障子Ｂや内障子Ｃの縦框の、前記ケース３２と対向する面に当接しているので、前記衝撃を縦框で受けることができる。したがって、衝撃によるケース３２の破損を防止できる。
また、ストッパ部３３の先端部の先端面にクッション材３３ｂを取り付けたので、前記衝撃をクッション材３３ｂによっても緩和できる。
【００２８】
なお、上述の実施の形態では、ストッパ装置３１と引き手２７とをユニット化して、引き手部材２８として一体的に構成したが、ストッパ装置３１は引き手２７と別体に構成してもよいし、引き手２７は直接障子の縦框に設けてもよい。
【００２９】
また、ストッパ装置３１において、操作ボタン３６を外障子Ｂや内障子Ｃの縦框の見込み面から操作するようにしたが、縦框の見付け面から操作するようにしてもよい。
また、ストッパ部３３と操作ボタン３６とを別体に構成したが、ストッパ部に操作ボタン３６を一体的に形成してもよい。
【００３０】
さらに、ストッパ装置３１において、操作ボタン３６を押圧操作することによって、ストッパ部３３を外障子Ｂや内障子Ｃの縦框の見付け面から没するように構成したが、操作ボタンをスライド操作したり、回転操作したり、引き込み操作することによって、ストッパ部３３を外障子Ｂや内障子Ｃの縦框の見付け面から没するように構成してもよい。
【図面の簡単な説明】
【００３１】
【図１】本発明の実施の形態に係る両寄せ全開口タイプのサッシを示す図であって、全開口状態の横断面図である。
【図２】同、殆ど閉じた状態の横断面図である。
【図３】同、閉めている状態を室内側から見た図である。
【図４】同、全閉状態を室内側から見た図である。
【図５】同、引き手部材を示すもので、（ａ）は正面図、（ｂ）は側面図、（ｃ）は平面図である。
【図６】同、引き手部材を示す斜視図である。
【図７】同、ストッパ装置を示すもので、（ａ）はストッパ部が突出した状態、（ｂ）はストッパ部が没している状態を示す断面図である。
【図８】同、障子の縦框にストッパ装置を組み込んだ状態を示もので、ストッパ部が突出した状態の横断面図である。
【図９】同、障子の縦框にストッパ装置を組み込んだ状態を示もので、ストッパ部が没した状態の横断面図である。
【図１０】同、操作ボタンの取付方法を説明するための図である。
【符号の説明】
【００３２】
Ａ    枠体
Ｂ    外障子（障子）
Ｃ    内障子（障子）
Ｄ    障子収容部
Ｅ    方立
２７  引き手
２８  引き手部材
３１  ストッパ装置
３２  ケース
３３  ストッパ部
３５  スプリング
３６  操作ボタン（操作部）
４０  当接部
【図１】
2007002445.tif 000003
【図２】
2007002445.tif 000004
【図３】
2007002445.tif 000005
【図４】
2007002445.tif 000006
【図５】
2007002445.tif 000007
【図６】
2007002445.tif 000008
【図７】
2007002445.tif 000009
【図８】
2007002445.tif 000010
【図９】
2007002445.tif 000011
【図１０】
2007002445.tif 000012